(57)【要約】【課題】宛先誤りによる誤送信を防止できる通信装置を提供することにより、ユーザによる宛先の確認を容易とすることができる。【解決手段】ＣＰＵは、通信Ｉ／Ｆ部から送信された送信済み画像データの送信済み宛先に、通信Ｉ／Ｆ部から送信前画像データを送信すべき送信前宛先と一致する宛先が含まれていると第一の判定部により判定された場合には、送信前宛先と一致する送信済み宛先に関連付けて記憶された送信済み画像データを確認用画像データとしてタッチパネルに表示する。これにより、ユーザによる宛先の確認を容易とすることができる。【選択図】図３
2010124410.tif 000002
【特許請求の範囲】
【請求項１】
画像データを所定の宛先へ送信する通信部と、
前記通信部により送信された送信済み画像データと送信済み宛先とを関連付けて記憶する送信済み情報記憶部と、
前記通信部により送信前画像データを送信すべき送信前宛先を操作により入力される操作部と、
前記送信済み情報記憶部により記憶された前記送信済み宛先に、前記操作部により入力された前記送信前宛先と一致する宛先が含まれているか否かを判定する第一の判定部と、
前記第一の判定部により、前記送信済み宛先に前記送信前宛先と一致する宛先が含まれていると判定された場合には、前記送信前宛先と一致する前記送信済み宛先に関連付けて記憶された前記送信済み画像データを確認用画像データとして表示する表示部と
を備える通信装置。
【請求項２】
前記表示部は、前記第一の判定部により、前記送信済み宛先に前記送信前宛先と一致する宛先が含まれていないと判定された場合には、前記送信前宛先へ送信すべき前記送信前画像データを確認用画像データとして表示する請求項１に記載の通信装置。
【請求項３】
前記表示部は、前記第一の判定部により、前記送信済み宛先に前記送信前宛先と一致する宛先が含まれていると判定された場合には、前記送信前宛先と一致する前記送信済み宛先に関連付けて記憶された前記送信済み画像データに加えて、前記送信前宛先へ送信すべき前記送信前画像データを、確認用画像データとして表示する請求項１乃至請求項２のいずれかに記載の通信装置。
【請求項４】
前記通信部は、前記表示部に表示された前記確認用画像データが正常に前記操作部から確認された場合にのみ、前記送信前画像データを前記送信前宛先へ送信する請求項１乃至請求項３のいずれかに記載の通信装置。
【請求項５】
前記所定の宛先は、電話番号、電子メールアドレス、ＩＰアドレスおよびホスト名の少なくとも１つを含む請求項１乃至請求項４のいずれかに記載の通信装置。
【請求項６】
前記表示部は、前記第一の判定部により、前記送信済み宛先に前記送信前宛先と一致する宛先が含まれていると判定された場合には、前記送信前宛先と一致する前記送信済み宛先に関連付けて記憶された前記送信済み画像データのうち最新のものの先頭頁のみを確認用画像データとして表示する請求項１乃至請求項５のいずれかに記載の通信装置。
【請求項７】
前記表示部は、前記第一の判定部により、前記送信済み宛先に前記送信前宛先と一致する宛先が含まれていると判定された場合には、前記確認用画像データに加えて、前記送信前宛先と一致する前記送信済み宛先に関連付けて記憶された前記送信済み画像データが送信された日時を表示する請求項１乃至請求項６のいずれかに記載の通信装置。
【請求項８】
前記送信前宛先と前記送信済み宛先とが同一のユーザまたは同一のグループにより入力されたか否かを判定する第二の判定部をさらに備え、
前記表示部は、前記第二の判定部により、前記送信前宛先と前記送信済み宛先とが同一のユーザまたは同一のグループにより入力されたと判定された場合にのみ、前記送信済み画像データを確認用画像データとして表示する請求項１乃至請求項７のいずれかに記載の通信装置。
【請求項９】
前記操作部と前記表示部とは一体化されている請求項１乃至請求項８のいずれかに記載の通信装置。
【発明の詳細な説明】
【技術分野】
【０００１】
本発明は、通信装置に関し、特に、宛先誤りによる誤送信を防止するための技術に関する。
【背景技術】
【０００２】
従来、コピー、プリンタ、スキャナ、並びにファクシミリ等の諸機能を併せ持つ、いわゆるＭＦＰ（Multi Function Peripheral）とも呼ばれるデジタル複合機が普及している。かかるＭＦＰのうち、ファクシミリ等の通信機能を有するものでは、各種文書データ等が外部の通信装置との間で通信されるが、こうした通信装置においては、機密保持等の観点から、誤送信を防止することがきわめて重要な課題となっている。
【０００３】
そうした観点から、データ送信の宛先の設定及び送信原稿データの読み取り処理が終了後、表示部に宛先を含む送信先情報および送信データのイメージデータを表示するという技術が提案されている。（特許文献１参照）。
【特許文献１】特開２００７−１６６２０１号公報
【発明の開示】
【発明が解決しようとする課題】
【０００４】
しかしながら、特許文献１に係る従来技術では、送信原稿の全てのページを表示し、送信したい原稿が正しいかどうかを確認した後のみ送信するので、間違った原稿を送信してしまう可能性は低くなるが、入力した宛先が正しいかを確認することができなかった。従って、宛先誤りによる誤送信を防止できないという問題があった。
【０００５】
そこで、本発明の目的は、宛先誤りによる誤送信を防止できる通信装置を提供することにある。
【課題を解決するための手段】
【０００６】
上記目的を達成するために、本発明に係る通信装置は、画像データを所定の宛先へ送信する通信部と、前記通信部により送信された送信済み画像データと送信済み宛先とを関連付けて記憶する送信済み情報記憶部と、前記通信部により送信前画像データを送信すべき送信前宛先を操作により入力される操作部と、前記送信済み情報記憶部により記憶された前記送信済み宛先に、前記操作部により入力された前記送信前宛先と一致する宛先が含まれているか否かを判定する第一の判定部と、前記第一の判定部により、前記送信済み宛先に前記送信前宛先と一致する宛先が含まれていると判定された場合には、前記送信前宛先と一致する前記送信済み宛先に関連付けて記憶された前記送信済み画像データを確認用画像データとして表示する表示部とを備える。
【発明の効果】
【０００７】
本発明に係る通信装置では、送信済み宛先に送信前宛先と一致する宛先が含まれていると判定された場合には、送信前宛先と一致する送信済み宛先に関連付けて記憶された送信済み画像データを確認用画像データとして表示するので、宛先誤りによる誤送信を防止することができる。
【発明を実施するための最良の形態】
【０００８】
＜実施形態１＞
以下、図面を参照して、本発明の実施形態１について説明する。本実施形態においては、本発明に係る通信装置として、ファクシミリ（ＦＡＸ）送信／受信機能や複写機能、プリント機能、を併せ持つ複合機Ａを例にとり説明する。
【０００９】
まず、複合機Ａの機能構成について、図１を参照して、説明する。図１は本実施形態に係る複合機Ａの機能ブロック図である。
【００１０】
複合機Ａは、ＣＰＵ(Central Processing Unit)１、ＲＯＭ(Read Only Memory)２、ＲＡＭ(Random Access Memory)３、各種センサ群４、用紙搬送部５、画像読取部６、画像データ記憶部７、画像形成部８、通信Ｉ／Ｆ部９、操作表示部１０、及び、送信済み情報記憶部１１を備えている。
【００１１】
ＣＰＵ１は、ＲＯＭ２に記憶されている制御プログラム、画像データ記憶部７に記憶されている原稿画像データ、通信Ｉ／Ｆ部９がクライアントコンピュータ（図示略）から受信するプリント画像データまたは通信Ｉ／Ｆ部９が公衆網（図示略）から受信するファクシミリ画像データ、通信Ｉ／Ｆ部９を介してクライアントコンピュータ（図示略）または公衆網（図示略）から入力される各種指示及び操作表示部１０から入力される操作指示に基づいて複合機Ａの全体動作を制御する。また、ＣＰＵ１は、第一の判定部１０１及び第二の判定部１０２として機能する。なお、このＣＰＵ１の制御処理の詳細については、以下に複合機Ａの動作として説明する。
【００１２】
ＲＯＭ２は、ＣＰＵ１で実行される制御プログラム及びその他のデータを記憶する不揮発性メモリである。
【００１３】
ＲＡＭ３は、ＣＰＵ１が制御プログラムを実行して各種動作を行う際に、データの一時保存先となるワーキングエリアとして用いられる揮発性メモリである。
【００１４】
各種センサ群４は、例えば用紙切れ検出センサや、用紙詰まり検出センサ、用紙位置検出センサ、温度センサ等の画像形成動作に必要な各種センサであり、それぞれのセンサで検出した各種の情報を検出信号としてＣＰＵ１に出力する。
【００１５】
用紙搬送部５は、用紙トレイに収納されている印刷用紙を画像形成部８に搬送するための搬送ローラ及び搬送ローラ駆動用のモータや、画像形成処理後の印刷用紙を図示しない排紙トレイに搬送するための搬送ローラ及び搬送ローラ駆動用のモータなどから構成されている。
【００１６】
画像読取部６は、ＡＤＦ（自動原稿送り装置）とＣＣＤ(Charge Coupled Device)センサ等を備え、ＡＤＦによって順次給紙される原稿の画像をＣＣＤセンサに読み取らせ、原稿画像に基づく原稿画像データを出力する。なお、画像読取部６は、原稿画像データをＣＰＵ１に出力し、一方、ＣＰＵ１は、原稿画像データを画像データ記憶部７に記憶させる。
【００１７】
画像データ記憶部７は、例えばフラッシュメモリであり、ＣＰＵ１の指示の下、原稿画像データ、プリント画像データ及びファクシミリ画像データを記憶する。
【００１８】
画像形成部８は、ＣＰＵ１の制御の下、原稿画像データ、プリント画像データまたはファクシミリ画像データに基づいて、用紙搬送部５から搬送される印刷用紙にトナーによって形成される形成画像を転写し、定着ローラによって当該形成画像の定着処理を行う。
【００１９】
通信Ｉ／Ｆ部９は、クライアントコンピュータ（図示略）及び電話網等の公衆網（図示略）等に接続し、このクライアントコンピュータ及び公衆網との間で各種信号の送受信を行う。以下では、電話網へＦＡＸ送信を行う場合を例にとり説明するが、この場合、宛先は電話番号で指定される。
【００２０】
操作表示部１０は、スタートキー、ストップキー、電源キー、テンキー（数値入力キー）、タッチパネル１０ａ、クリアキーやその他の各種操作キー、を備えており、それぞれのキーの操作指示をＣＰＵ１に出力すると共に、ＣＰＵ１の制御の下、タッチパネル１０ａに種々の画面を表示する。なお、通信Ｉ／Ｆ部９から画像データを送信する宛先すなわち電話番号は、操作表示部１０からユーザにより入力される。
【００２１】
送信済み情報記憶部１１は、ユーザにより入力された各宛先を記憶するとともに、各宛先に送信された画像データのうち最新のものの先頭頁を、送信済み画像データとして各宛先に関連付けて記憶する。
【００２２】
次に、上記構成の本実施形態に係る複合機Ａの動作について図２〜４を参照して詳しく説明する。
【００２３】
図２は、本実施形態に係る複合機Ａの動作を示すフローチャートである。
【００２４】
まず、ＣＰＵ１は、タッチパネル１０ａに宛先入力画面を表示する（ステップＳ１）。
【００２５】
ＣＰＵ１は、ステップＳ１においてタッチパネル１０ａに表示される宛先入力画面にユーザがＦＡＸの宛先を入力すると、これを受け付ける。（ステップＳ２）。
【００２６】
ＣＰＵ１は、ステップＳ２において入力された宛先へＦＡＸ送信を開始するためにユーザが操作表示部１０にあるスタートキーを押下すると、これを受け付ける（ステップＳ３）。
【００２７】
ＣＰＵ１は、ステップＳ３においてユーザにスタートキーが押下されると、ステップＳ１においてユーザにより入力されたＦＡＸの宛先（以下ではユーザ入力ＦＡＸ宛先と呼ぶ）と一致する宛先が、送信済み情報記憶部１１に記憶されている宛先に含まれているか否かを、第一の判定部１０１により判定する（言い換えれば、ユーザ入力ＦＡＸ宛先に関連付けて送信済み画像データが記憶されているか否かを判定する（ステップＳ４）。
【００２８】
ＣＰＵ１は、ステップＳ４において第一の判定部１０１が、ユーザ入力ＦＡＸ宛先と一致する宛先が、送信済み情報記憶部１１に記憶されている宛先に含まれていると判定した場合には、図３に示されるように、ユーザ入力ＦＡＸ宛先に加えて、ユーザ入力ＦＡＸ宛先に関連付けて記憶されている送信済み画像データを確認用画像データとしてタッチパネル１０ａに表示する（ステップＳ５）。
【００２９】
ユーザがタッチパネル１０ａに表示された確認用画像データを正常に確認すると（図３に示す「はい」を選択、ステップＳ６でＹｅｓ）、画像読取部７により原稿の読込みが開始され（ステップＳ７）、読込まれた原稿をユーザ入力ＦＡＸ宛先にＦＡＸ送信後（ステップＳ１１）、終了する。
【００３０】
一方ＣＰＵ１は、ステップＳ４において第一の判定部１０１が、ユーザ入力ＦＡＸ宛先と一致する宛先が、送信済み情報記憶部１１に記憶されている宛先に含まれていないと判定した場合には、画像読取部７により原稿の読込みを開始し（ステップＳ８）、図４に示されるように、ユーザ入力ＦＡＸ宛先に加えて、ステップＳ８において読込まれた送信前画像データを確認用画像データとしてタッチパネル１０ａに表示する（ステップＳ９）。
【００３１】
その後、ステップＳ５〜７を実行した場合と同様に、ユーザ入力ＦＡＸ宛先にＦＡＸ送信後（ステップＳ１１）、終了する。
【００３２】
なお、ユーザがタッチパネル１０ａに表示された確認用画像データを視認し、ユーザ入力ＦＡＸ宛先が間違っていたと判断した場合は（図３に示す「いいえ」を選択）、宛先を修正できるようにステップＳ１の宛先入力画面へ戻る。
＜実施形態２＞
実施形態１に係る図２のフローチャートでは、ＣＰＵ１は、ユーザ入力ＦＡＸ宛先と一致する宛先が、送信済み情報記憶部１１に記憶されている宛先に含まれていないと判定された場合には、ステップＳ９において、送信前画像データを確認用画像データとして表示するが、ユーザ入力ＦＡＸ宛先と一致する宛先が、送信済み情報記憶部１１に記憶されている宛先に含まれていると判定された場合には、ステップＳ５において、送信済み画像データを確認用画像データとして表示する。しかし、ユーザ入力ＦＡＸ宛先と一致する宛先が、送信済み情報記憶部１１に記憶されている宛先に含まれていると判定された場合においては、送信済み画像データに加えて送信前画像データを確認用画像データとして表示してもよい。
【００３３】
図５は、本実施形態に係る複合機Ａの動作を示すフローチャートである。図５は、図２において、ステップＳ５に代えてステップＳ５−１を実行するとともに、ステップＳ７を、ステップＳ５−１の前に実行するものである。図５において、図２と同様のステップには同様の符号を付しており、ここでの詳細な説明は省略する。
【００３４】
ＣＰＵ１は、ステップＳ４において第一の判定部１０１が、ユーザ入力ＦＡＸ宛先と一致する宛先が、送信済み情報記憶部１１に記憶されている宛先に含まれていると判定した場合には、画像読取部７により原稿を読込み（ステップＳ７）、図６に示されるように、ユーザ入力ＦＡＸ宛先に加えて、ユーザ入力ＦＡＸ宛先に関連付けて記憶されている送信済み画像データとステップＳ７において読込まれた送信前画像データとを確認用画像データとしてタッチパネル１０ａに表示する（ステップＳ５−１）。
【００３５】
このように、実施形態１および２に係る複合機Ａは、画像データを所定の宛先へ送信する通信Ｉ／Ｆ部９と、通信Ｉ／Ｆ部９により送信された送信済み画像データと送信済み宛先とを関連付けて記憶する送信済み情報記憶部１１と、通信Ｉ／Ｆ部９により送信前画像データを送信すべき送信前宛先を操作により入力される操作部（操作入力部１０の一部）と、送信済み情報記憶部１１により記憶された送信済み宛先に、操作部により入力された送信前宛先と一致する宛先が含まれているか否かを判定する第一の判定部１０１と、第一の判定部１０１により、送信済み宛先に送信前宛先と一致する宛先が含まれていると判定された場合には、送信前宛先と一致する送信済み宛先に関連付けて記憶された送信済み画像データを確認用画像データとして表示する表示部（操作入力部１０の一部）とを備える。従って、送信済み宛先に送信前宛先と一致する宛先が含まれていると判定された場合には、送信前宛先と一致する送信済み宛先に関連付けて記憶された送信済み画像データを確認用画像データとして表示することにより、ユーザによる宛先の確認を容易とすることができる。よって、宛先誤りによる誤送信を防止することができる。
【００３６】
なお、実施形態１および２では、宛先が電話番号で指定されるＦＡＸ送信を例に説明しているが、宛先がＩＰアドレス等で指定されるインターネットＦＡＸ送信や宛先が電子メールアドレスで指定される電子メール送信でも実施可能である。
【００３７】
また、送信済み情報記憶部１１が、送信された画像データのうち最新のものの先頭頁を送信済み画像データとして記憶する場合について説明したが、先頭頁に限らず、複数頁であってもよく、また、最新のものに限られるものではない。
【００３８】
また、図３および６に示されるように、送信済み画像データに加えて、送信済み画像データが送信された日時を表示することにより、ユーザによる宛先の確認をさらに容易とすることができる。
【００３９】
また、図２および図５のフローチャートにおいては、例えばステップＳ１の前に、ユーザＩＤの入力によるユーザ認証を行うことにより、送信前宛先と送信済み宛先とが同一のユーザ（または同一のユーザグループ）により入力されたか否かを第二の判定部１０２により判定し、同一のユーザ（または同一のユーザグループ）により入力されたと判定された場合にのみ送信済み画像データを表示するようにしてもよい。これによりセキュリティを高めることが可能となる。
【００４０】
また、操作部と表示部とが一体化されている場合を例にとり説明したが、これに限らず、操作部と表示部とが別々に設けられていてもよい。
【００４１】
また、通信装置として、複合機を例にとり説明したが、複合機に限らず、通信部を有する装置であればよい。
【図面の簡単な説明】
【００４２】
【図１】本発明の実施形態１に係る複合機Ａの機能ブロック図である。
【図２】本発明の実施形態１に係る複合機Ａの動作を示すフローチャートである。
【図３】本発明の実施形態１に係る複合機Ａの宛先確認画面である。
【図４】本発明の実施形態１に係る複合機Ａの宛先確認画面である。
【図５】本発明の実施形態２に係る複合機Ａの動作を示すフローチャートである
【図６】本発明の実施形態２に係る複合機Ａの宛先確認画面である。
【符号の説明】
【００４３】
Ａ…複合機、１…ＣＰＵ、２…ＲＯＭ、３…ＲＡＭ、４…各種センサ群、５…用紙搬送部、６…画像読取部、７…画像データ記憶部、８…画像形成部、９…通信Ｉ／Ｆ部、１０…操作表示部、１０ａ…タッチパネル、１１…送信済み情報記憶部、１０１…第一の判定部、１０２…第二の判定部。
【図１】
2010124410.tif 000003
【図２】
2010124410.tif 000004
【図３】
2010124410.tif 000005
【図４】
2010124410.tif 000006
【図５】
2010124410.tif 000007
【図６】
2010124410.tif 000008